(57)【要約】【課題】スリープモードからの復帰後の最初のプリントに要する時間を短くしつつも，キャリア消費やカブリによるトナー消費を招くことのない画像形成装置を提供すること。【解決手段】画像形成装置（プリンター１）は，感光体２１と，帯電装置２２と，露光装置２３と，現像ローラー３４と，稼働モードでは感光体を接地状態とし，スリープモードでは感光体を非接地状態とする感光体制御部７２と，スリープモードに移行した時の感光体の表面電位から，スリープモード中の感光体の表面電位の減衰量を差し引いて，稼働モードへの復帰動作の開始時の感光体の表面電位を算出する感光体表面電位算出部７３と，稼働モードへの復帰過程における感光体の表面電位に対して，現像ローラーへの印加バイアスが，感光体へのトナーの移動を防止する向きに予め定めた値以上の電位差となるように，現像ローラーへの印加バイアスを制御する復帰時印加制御部７４と，を備える。【選択図】図８
2014052501.tif 000002
【特許請求の範囲】
【請求項１】
感光体と，
前記感光体の表面を一様に帯電させる帯電装置と，
前記感光体の帯電された表面に露光により静電潜像を書き込む露光装置と，
前記感光体の表面の静電潜像をトナーで可視像化する現像ローラーと，を備え，
画像形成可能な稼働モードと，前記稼働モードよりも消費電力を抑えたスリープモードとを少なくとも取り得る画像形成装置において，
前記稼働モードと前記スリープモードとの切り替えを制御するモード制御部と，
前記稼働モードでは前記感光体を接地状態とし，前記スリープモードでは前記感光体を非接地状態とする感光体制御部と，
前記スリープモードへ移行した時の前記感光体の表面電位から，前記スリープモード中の前記感光体の表面電位の減衰量を差し引いて，前記稼働モードへの復帰動作の開始時の前記感光体の表面電位を算出する感光体表面電位算出部と，
前記スリープモードから前記稼働モードへの復帰過程における前記感光体の表面電位に対して，前記現像ローラーへの印加バイアスが，前記現像ローラーから前記感光体へのトナーの移動を防止する向きに予め定めた値以上の電位差となるように，前記現像ローラーへの印加バイアスを制御する復帰時印加制御部と，
を備えるものであることを特徴とする画像形成装置。
【請求項２】
請求項１に記載の画像形成装置において，
帯電後露光前の前記感光体の表面電位（以下「帯電電位」という）と，前記露光装置により一定の露光光量で露光した後現像前の前記感光体における露光部の表面電位（以下「露光電位」という）との差の絶対値が，予め定めた値以上であれば劣化の程度を小さいと判断し，前記帯電電位と前記露光電位との差の絶対値が予め定めた値未満であれば劣化の程度を大きいと判断する感光体劣化状態導出部と，
機内温度及び機内湿度の少なくとも一方の環境因子を測定する環境因子測定部と，
前記稼働モードへの復帰動作の開始時に，それ以前に行われた前記感光体への最後の帯電の終了から当該稼働モードへの復帰動作の開始時までの経過時間を計測する計時部と，を備え，
前記感光体表面電位算出部は，前記感光体の劣化の程度および前記環境因子ごとに，前記感光体の表面電位の経過時間と減衰量との関係があらかじめ用意されているものである
ことを特徴とする画像形成装置。
【請求項３】
請求項２に記載の画像形成装置において，
現像により前記感光体へ付着したトナーの量を測定するトナー付着量測定部と，
前記現像ローラーの現像バイアス（Ｖｂ），前記現像ローラーに担持されるトナーの帯電量（ｑ），及び，前記トナー付着量検知部により検知されたトナー付着量（Ｍ）を用いた下記式（１）
Ａ×Ｍ＝ｑ×（Ｖｂ−Ｖｉ）  但し，Ａは定数      ・・・（１）
により，前記感光体の露光電位（Ｖｉ）を算出する露光電位算出部と，
前記環境因子およびプリント履歴ごとに，前記帯電装置への印加パワーと前記感光体の帯電電位との関係があらかじめ用意されており，前記環境因子，プリント履歴，前記帯電装置への印加パワーに基づいて前記感光体の帯電電位を出力する帯電電位出力部と，を備える
ことを特徴とする画像形成装置。
【請求項４】
請求項２又は請求項３に記載の画像形成装置において，
前記モード制御部は，前記スリープモード中に，前記帯電装置を予め定められた時間，動作させることにより，前記感光体の帯電を回復させる補助帯電を行うものである
ことを特徴とする画像形成装置。
【請求項５】
請求項２から請求項４のいずれか１つに記載の画像形成装置において，
前記感光体に形成されたトナー像を中間転写体に転写する転写ローラーを備え，
前記モード制御部は，前記スリープモード中に，前記転写ローラーに前記感光体と同極性の電圧を予め定められた時間印加することにより，前記感光体の帯電を回復させる補助帯電を行うものである
ことを特徴とする画像形成装置。
【請求項６】
請求項４又は請求項５に記載の画像形成装置において，
前記感光体表面電位算出部は，
前記補助帯電が行われた場合には，前記計時部により計測された経過時間に，前記感光体の表面電位の経過時間と減衰量との関係にて前記補助帯電終了時の前記感光体の表面電位が得られるまでの所要時間を加えて，前記スリープモード中の前記感光体の表面電位の減衰量を決定するために用いる経過時間とするものである
ことを特徴とする画像形成装置。
【請求項７】
請求項１から請求項６のいずれか１つに記載の画像形成装置において，
前記感光体からトナー像が転写された後に前記感光体の表面の静電潜像の残像を除去する除電装置を備え，
前記モード制御部は，前記スリープモード中，前記除電装置による残像の除去を禁止するものである
ことを特徴とする画像形成装置。
【発明の詳細な説明】
【技術分野】
【０００１】
本発明は，画像形成可能な稼働モードと，稼働モードより消費電力を抑えたスリープモードとをとる画像形成装置に関する。
【背景技術】
【０００２】
プリンター，複写機などの電子写真方式を用いた画像形成装置では，感光体表面を所定電位に一様に帯電させた後，感光体表面を露光して静電潜像を形成する。そして，形成された静電潜像を現像装置によってトナー現像して，可視像化する。次いで，感光体表面のトナー像は，用紙上に転写された後，加熱・加圧されて用紙に定着される。
【０００３】
このような画像形成装置の中には，画像形成可能な稼働モードと，稼働モードよりも消費電力を抑えたスリープモードとをとるものがある。そして，これらのモードをとる画像形成装置では，画像形成装置が稼働モードにあってもスリープモードにあっても，感光体は接地状態にある。そのため，稼働モード中に感光体の表面に帯電した電荷は，スリープモード中にグランド（ＧＮＤ）へ逃げてしまう。すなわち，スリープモード中に，感光体の表面電位がグランドと同電位まで低下してしまう。よって，スリープモードから稼働モードへ復帰したときには，再び感光体の表面電位を，規定の所定値まで上昇させなければならない。一旦グランドと同電位まで低下した感光体の表面電位を上昇させるには，ある程度の時間が必要になる。従って，従来の画像形成装置では，スリープモードから稼働モードへ復帰して最初のプリントがなされるまでの時間（ファーストプリントタイム）が長いという問題があった。
【０００４】
ところで下記特許文献１には，温度や湿度などの環境条件が変化しても画像濃度が変化しないように，感光体の接地電位を補正する技術が記載されている。具体的には，特許文献１に記載の技術では，グランドレベルとして使用する電位を複数もち，これらの間で接地電位を切り替えることが可能なグランドレベル補正回路を有している。そして，環境条件を考慮して予め定めた，転写体への流入電流と感光体の接地電位との対応関係を示すテーブルに基づいて，この回路のグランドレベルを切り替える。これによって，感光体の表面電位を，変化した環境条件に対応させている。この技術によれば，環境条件が変わっても，パッチ画像を感光体の表面に形成して環境条件の変化に起因する画像濃度の変化を確認する必要がない。よって，その分，印刷にかかる時間を短縮できるとされている。
【先行技術文献】
【特許文献】
【０００５】
【特許文献１】特開２００７−２０６２８４号公報
【発明の概要】
【発明が解決しようとする課題】
【０００６】
しかしながら，上記特許文献１に記載の技術では，感光体は，常に接地状態にある。そのため，スリープモード中に感光体の表面電位が低下することに起因する，稼働モード復帰時のファーストプリントタイムの長期化という上述の問題は，依然として生じ得る。
【０００７】
この問題を解決するためには，次の２つの方法が考えられる。１つ目の方法は，感光体を接地状態のままとし，帯電が安定するまでの時間を短くするため，帯電電流を増加させたり，予め感光体に電位を付与したりする等の方法である。帯電電流を増加させると，感光体の表面電位が安定するまでの時間を短くできる。しかし，高電圧を印加可能な電源が必要であったり，オゾン発生量が増加してしまったり，放電生成物の量が増えてしまったりとデメリットもある。また，予め感光体に電位を付与しようとすると，感光体への電源の取り付けが必要となるので，コストアップや部品点数の増加を伴う。
【０００８】
２つ目の方法は，画像形成装置がスリープモードへ移行した際には，感光体を非接地状態にするという方法である。感光体を非接地状態とすれば，接地状態にしているときと比べて，表面電位の低下が抑制される。よって，稼働モードに復帰したときのファーストプリントタイムを短くできるのである。
【０００９】
しかしながら，スリープモードにおいて，感光体を非接地状態とする場合には，次のような問題が生じる。すなわち，感光体を接地状態のままとしていたときと同じように現像バイアスを印加すると，現像バイアスと感光体の表面電位との電位差が，望ましい値から大きく外れてしまう。よって，キャリア消費や，かぶりの発生によるトナー消費を招いてしまうのである。
【００１０】
本発明は，このような事情に鑑みてなされたものである。すなわち，その課題とするところは，スリープモード中に感光体を非接地状態とすることにより表面電位の低下を抑え，スリープモードからの復帰後の最初のプリントに要する時間（ファーストプリントタイム）を短くした画像形成装置であって，キャリア消費やカブリによるトナー消費を招くことのない画像形成装置を提供することを目的とする。
【課題を解決するための手段】
【００１１】
この課題の解決を目的としてなされた本発明の画像形成装置は，感光体と，感光体の表面を一様に帯電させる帯電装置と，感光体の帯電された表面に露光により静電潜像を書き込む露光装置と，感光体の表面の静電潜像をトナーで可視像化する現像ローラーと，を備え，画像形成可能な稼働モードと，稼働モードよりも消費電力を抑えたスリープモードとを少なくとも取り得る。さらに画像形成装置は，稼働モードとスリープモードとの切り替えを制御するモード制御部と，稼働モードでは感光体を接地状態とし，スリープモードでは感光体を非接地状態とする感光体制御部と，スリープモードへ移行した時の感光体の表面電位から，スリープモード中の感光体の表面電位の減衰量を差し引いて，稼働モードへの復帰動作の開始時の感光体の表面電位を算出する感光体表面電位算出部と，スリープモードから稼働モードへの復帰過程における感光体の表面電位に対して，現像ローラーへの印加バイアスが，現像ローラーから感光体へのトナーの移動を防止する向きに予め定めた値以上の電位差となるように，現像ローラーへの印加バイアスを制御する復帰時印加制御部と，を備える。
【００１２】
本発明によれば，スリープモード中は，感光体が非接地状態にあるため，接地状態としているときよりも，表面電位が高電位に保持される。よって，スリープモードから稼働モードへ移行した際に，感光体の表面電位が素早く所定値まで上昇され得る。従って，スリープモードから復帰した際のファーストプリントタイム（最初の一枚を印刷するまでに要する時間）を短くすることができる。
【００１３】
また，スリープモードにおいて感光体の表面電位が高電位となっていると，稼働モードへの復帰の際，感光体の表面電位と現像ローラーの電位との差が所望の値からずれ，キャリア消費や，カブリの発生によるトナー消費の原因となり得る。しかし本発明では，稼働モードへの復帰の際には，感光体の表面電位と現像ローラーの電位との差が，現像ローラーから感光体へのトナーの移動を防止する向きに予め定めた値以上となるように，現像ローラーへの印加バイアスを制御している。よって，この予め定める値を，カブリの発生を防ぐために設けるカブリマージンと同じ値とすれば，カブリの発生によるトナー消費や，キャリア消費を防止することができる。
【００１４】
また，感光体の表面電位を把握するために，感光体の表面に電位センサー（表面電位計）を取り付けると，その設置スペースの確保や，コスト面において負担が生じるところ，本発明のように構成すれば，感光体表面電位算出部により感光体の表面電位を算出可能であるため，表面電位計を取り付ける必要がない。よって，その分の設置スペースやコストを削減できる。
【００１５】
ここで本発明の画像形成装置は，帯電後露光前の感光体の表面電位（以下「帯電電位」という）と，露光装置により一定の露光光量で露光した後現像前の感光体における露光部の表面電位（以下「露光電位」という）との差の絶対値が，予め定めた値以上であれば劣化の程度を小さいと判断し，帯電電位と露光電位との差の絶対値が予め定めた値未満であれば劣化の程度を大きいと判断する感光体劣化状態導出部と，機内温度及び機内湿度の少なくとも一方の環境因子を測定する環境因子測定部と，稼働モードへの復帰動作の開始時に，それ以前に行われた感光体への最後の帯電の終了から当該稼働モードへの復帰動作の開始時までの経過時間を計測する計時部と，を備え，感光体表面電位算出部は，感光体の劣化の程度および環境因子ごとに，感光体の表面電位の経過時間と減衰量との関係があらかじめ用意されているものであることが望ましい。
このように構成すれば，感光体の劣化の程度（劣化状態）を画像形成装置の使用期間に基づいて一義的に決める場合と比べて，より実態に即した感光体の劣化の程度を導出することができ，導出した劣化の程度等に基づいて，スリープモード中の感光体の表面電位の減衰量を確実に求めることができる。
【００１６】
また本発明の画像形成装置は，現像により感光体へ付着したトナーの量を測定するトナー付着量測定部と，現像ローラーの現像バイアス（Ｖｂ），現像ローラーに担持されるトナーの帯電量（ｑ），及び，トナー付着量検知部により検知されたトナー付着量（Ｍ）を用いた下記式（１）
Ａ×Ｍ＝ｑ×（Ｖｂ−Ｖｉ）  但し，Ａは定数      ・・・（１）
により，感光体の露光電位（Ｖｉ）を算出する露光電位算出部と，環境因子およびプリント履歴ごとに，帯電装置への印加パワーと感光体の帯電電位との関係があらかじめ用意されており，環境因子，プリント履歴，帯電装置への印加パワーに基づいて感光体の帯電電位を出力する帯電電位出力部と，を備えることが望ましい。
このように構成すれば，感光体の劣化状態の導出に必要な帯電電位と露光電位を，表面電位計を備えることなく，確実に求めることができる。
【００１７】
さらに本発明の画像形成装置では，モード制御部は，スリープモード中に，帯電装置を予め定められた時間，動作させることにより，感光体の帯電を回復させる補助帯電を行うものであることが望ましい。
このように構成すれば，スリープモード中に感光体の表面から失われる電位を，帯電装置により補填することができる。よって，スリープモードの終了時に感光体の表面に残る残電位を高く保つことができる。
【００１８】
さらに本発明の画像形成装置は，感光体に形成されたトナー像を中間転写体に転写する転写ローラーを備え，モード制御部は，スリープモード中に，転写ローラーに感光体と同極性の電圧を予め定められた時間印加することにより，感光体の帯電を回復させる補助帯電を行うものであることが望ましい。
このように構成すれば，感光体と同極性の電圧が印加された転写ローラーにより，感光体の表面が帯電される。よって，感光体の表面電位の低下を抑制することができる。従って，スリープモードの終了時に感光体の表面に残る残電位を高く保つことができる。
【００１９】
さらに本発明の画像形成装置では，感光体表面電位算出部は，補助帯電が行われた場合には，計時部により計測された経過時間に，感光体の表面電位の経過時間と減衰量との関係にて補助帯電終了時の感光体の表面電位が得られるまでの所要時間を加えて，スリープモード中の感光体の表面電位の減衰量を決定するために用いる経過時間とするものであることが望ましい。
このように構成すれば，上述の補助帯電による感光体の表面電位の回復が，スリープモードへの移行前の帯電終了時の表面電位と同じでない場合であっても，スリープモード中の感光体の表面電位の減衰量を決定するために用いる経過時間を，正確に求めることができる。
【００２０】
さらに本発明の画像形成装置は，感光体からトナー像が転写された後に感光体の表面の静電潜像の残像を除去する除電装置を備え，モード制御部は，スリープモード中，除電装置による残像の除去を禁止するものであることが望ましい。
このように構成すれば，スリープモード中に，除電装置によって感光体の表面の静電潜像の残像が除去されることがない。よって，スリープモードの終了時に感光体の表面に残る残電位を高く保つことができる。
【発明の効果】
【００２１】
本発明によれば，スリープモード中における感光体の表面電位の低下を抑え，スリープモードからの復帰後の最初のプリントに要する時間（ファーストプリントタイム）を短くすることができる。また，キャリア消費や，カブリの発生によるトナー消費を招くことがない。
【図面の簡単な説明】
【００２２】
【図１】実施形態に係る画像形成装置の概略構成図である。
【図２】同画像形成装置が備えるイメージングユニットの概略構成図である。
【図３】同画像形成装置の制御系統を示すブロック図である。
【図４】同画像形成装置における各部の動作を示すタイミングチャートである。
【図５】現像バイアス算出処理を示すフローチャートである。
【図６】劣化状態導出処理を示すフローチャートである。
【図７】スリープモード中の経過時間に対する感光体の表面電位の変化を示すグラフである。
【図８】稼働モード復帰時の感光体の表面電位と，印加すべき現像バイアスとの関係を示すグラフである。
【図９】露光光量（ＬＤ）に対する感光体の露光電位（Ｖｉ）の変化を示すグラフである。
【図１０】スリープモード中に感光体を接地状態とした場合における稼働モード復帰時の立ち上げ時間を示すグラフである。
【発明を実施するための形態】
【００２３】
以下，本発明を具体化した最良の形態について，添付図面を参照しつつ詳細に説明する。図１は，本発明に係る画像形成装置の一例を示す図である。図１の画像形成装置は，タンデム型デジタルカラープリンター（以下，単に「プリンター」と記載する）である。もちろん，プリンターのほか，さらにスキャナを有する複写機又はそれらの機能を複合的に備えた複合機等にも本発明を適用することができる。
【００２４】
プリンター１は，その内部のほぼ中央部に中間転写ベルト（中間転写体に相当する）１１を備えている。中間転写ベルト１１は，ローラー１２，テンションローラー１３，ガイドローラー１４，１５の外周部に掛け渡されて反時計回りに回転移動する。テンションローラー１３は，バネ１０によって中間転写ベルト１１の内側から外側に向かって付勢されている。これにより，中間転写ベルト１１は，常に張力がかかった状態となっている。
【００２５】
中間転写ベルト１１の下方には，イエロー（Ｙ），マゼンタ（Ｍ），シアン（Ｃ），ブラック（Ｋ）の各色にそれぞれ対応する４つのイメージングユニット２Ｙ，２Ｍ，２Ｃ，２Ｋが，中間転写ベルト１１に沿ってこの順に並んで配置されている。各イメージングユニット２Ｙ，２Ｍ，２Ｃ，２Ｋは，感光体２１Ｙ，２１Ｍ，２１Ｃ，２１Ｋをそれぞれ有している。各感光体２１Ｙ，２１Ｍ，２１Ｃ，２１Ｋの周囲には，画像形成時の回転方向（正回転方向ともいう，図中時計回り方向）に沿って順に，帯電装置２２Ｙ，２２Ｍ，２２Ｃ，２２Ｋと，露光装置２３Ｙ，２３Ｍ，２３Ｃ，２３Ｋと，現像装置２４Ｙ，２４Ｍ，２４Ｃ，２４Ｋと，クリーニング装置２５Ｙ，２５Ｍ，２５Ｃ，２５Ｋと，イレーサー（除電装置に相当する）２６Ｙ，２６Ｍ，２６Ｃ，２６Ｋとがそれぞれ配置されている。なお，以下において，イエロー(Ｙ)，マゼンタ(Ｍ)，シアン(Ｃ)またはブラック(Ｋ)の区別が必要である場合を除いて，各色を表す添え字を省略して説明する。
【００２６】
帯電装置２２は，感光体２１に非接触のものであり，感光体２１の表面を一様に帯電させるものである。帯電装置２２の詳細については，後述する。
【００２７】
露光装置２３は，帯電した感光体２１を，作像色に応じた画像データに基づいて露光するものである。これにより，感光体２１には，画像データに基づく静電潜像が形成される。
【００２８】
現像装置２４は，トナーとキャリアを含む現像剤を利用する二成分系の現像装置である。現像装置２４は，現像ローラー３４（図２参照）と，攪拌機構とを備える。攪拌機構は，トナーとキャリアを攪拌してトナーの濃度を均一にする。現像ローラー３４は，所定の電位に帯電して，攪拌された現像剤を感光体２１へ移動させる。これにより，感光体２１に形成された静電潜像が可視像化される。すなわち，感光体２１にトナー像が形成される。実施形態に係るプリンター１では，反転現像方式を採用している。すなわち，感光体２１のうち露光装置２３によって露光された部分が，トナー像が形成される部分である。なお，現像装置２４は，キャリアを含まない現像剤を利用する一成分系の現像装置であってもよい。
【００２９】
クリーニング装置２５は，短冊状のクリーニングブレード３８（図２参照）を備える。クリーニングブレード３８は，短手方向の一端側を感光体２１の外周面に圧接させている。クリーニングブレード３８は，感光体２１に形成されたトナー像が１次転写された後，感光体２１の表面に残留している残留トナーを掻き落とすものである。
【００３０】
イレーサー２６は，イレーサーランプを備える。イレーサー２６は，イレーサーランプの照射により，１次転写後の感光体２１の表面の静電潜像の残像を除去するものである。
【００３１】
また図１に示すように，中間転写ベルト１１を挟んで，各感光体２１Ｙ，２１Ｍ，２１Ｃ，２１Ｋと対向する位置には，１次転写ローラー３０Ｙ，３０Ｍ，３０Ｃ，３０Ｋが設けられている。また，中間転写ベルト１１のローラー１２で支持された部分には，２次転写ローラー１６が圧接されている。２次転写ローラー１６と中間転写ベルト１１とのニップ部が２次転写領域１７となる。この２次転写領域１７において中間転写ベルト１１上に形成されたトナー像が，搬送されてきた用紙（被転写媒体）Ｐに転写される。
【００３２】
プリンター１の下部には，給紙カセット９１が着脱可能に配置されている。給紙カセット９１内に積載収容された用紙Ｐは，給紙ローラー９２の回転によって最上部のものから１枚ずつ引き出されて搬送路９３に送り出される。搬送路９３は，給紙カセット９１から，タイミングローラー対９４のニップ部，２次転写領域１７，および定着ユニット９５を通って排紙トレイ９８まで延びている。給紙カセット９１から送り出された用紙Ｐは，タイミングローラー対９４に搬送され，ここで所定のタイミングで２次転写領域１７に送り出される。
【００３３】
定着ユニット９５は，中空円筒状で，ヒーター９９を内部に備えた定着ローラー９６と，この定着ローラー９６に圧接されて従動回転する加圧ローラー９７とを備える。定着ローラー９６と加圧ローラー９７とにより形成されるニップ部を，トナー像が２次転写された用紙Ｐが通過することにより，用紙Ｐにトナー像が定着される。
【００３４】
このような構成のプリンター１の画像形成動作について簡単に説明する。まず，カラー画像を出力するフルカラーモードの場合，例えばパソコンなどの外部装置からプリンター１の制御部７０に画像信号が入力されると，制御部７０は，この画像信号をイエロー，シアン，マゼンタ，ブラックに色変換したデジタル画像信号を作成し，このデジタル画像信号に基づいて，各イメージングユニット２の露光装置２３を発光させて，感光体２１を露光する。なお，露光前に，各感光体２１の表面は，帯電装置２２により一様に帯電される。露光は，露光装置２３Ｙ，２３Ｍ，２３Ｃ，２３Ｋの順にそれぞれ時間差をもって行われる。これにより，各感光体２１Ｙ，２１Ｍ，２１Ｃ，２１Ｋの表面に各色用の静電潜像がそれぞれ形成される。
【００３５】
各感光体２１Ｙ，２１Ｍ，２１Ｃ，２１Ｋ上に形成された静電潜像は，各現像装置２４Ｙ，２４Ｍ，２４Ｃ，２４Ｋによってそれぞれ現像されて各色のトナー像となる。そして，各色のトナー像は，各１次転写ローラー３０Ｙ，３０Ｍ，３０Ｃ，３０Ｋの作用により，図１中反時計回りに回転する中間転写ベルト１１上に順次１次転写されて重ね合わせられる。本形態では，負帯電性トナーを使用しているので，転写時には，感光体２１の表面電位に比較して正側の電圧が１次転写ローラー３０に印加される。これにより，負に帯電されたトナーは１次転写ローラー３０に引き寄せられ，感光体２１から中間転写ベルト１１へと移動する。
【００３６】
中間転写ベルト１１上に１次転写されたトナー像は，中間転写ベルト１１の移動にしたがって２次転写領域１７に達する。一方，給紙カセット９１から搬送路９３に送り出された用紙Ｐは，タイミングローラー対９４によって，トナー像が２次転写領域１７に達するタイミングに合わせて２次転写領域１７へ搬送される。そして，２次転写ローラー１６には，トナーの帯電極性と逆極性の電圧が印加される。これにより，２次転写領域１７において，トナー像は中間転写ベルト１１から用紙Ｐに２次転写される。
【００３７】
トナー像が２次転写された用紙Ｐは，搬送路９３を通って定着ユニット９５に送られる。そこで，定着ローラー９６と加圧ローラー９７とにより形成されるニップ部を通過することにより，用紙Ｐにトナー像が定着される。トナー像が定着された用紙Ｐは，排紙トレイ９８に排出される。
【００３８】
一方，用紙Ｐに転写されることなく中間転写ベルト１１上に残った残留トナーは，ベルトクリーニング装置９で掻き取られ，中間転写ベルト１１の外周面から除去される。その後，感光体２１及び中間転写ベルト１１の回転駆動が停止される。
【００３９】
次に，図２に基づいて，イメージングユニット２の構成について補足する。図２は，イメージングユニット２を拡大して示す図である。なお図２においては，現像装置２４として，現像装置２４が備える現像ローラー３４のみを記載し，クリーニング装置２５として，クリーニング装置２５が備えるクリーニングブレード３８のみを記載する。
【００４０】
図２に示すように，感光体２１は，スイッチ２７を介して，グランドに接続されている。よって感光体２１は，スイッチ２７が閉じられているとき，アースされた接地状態となり，スイッチ２７が開かれているとき，アースされていない非接地状態（フロート状態）となる。
【００４１】
帯電装置２２は，放電電極５１と，シールドケース５２と，メッシュ状のグリッド電極５３とを備える。放電電極５１は，感光体２１の回転軸方向と略平行にシールドケース５２内に張架されている。放電電極５１は，のこぎり歯状又は針状の形状である。放電電極５１には，画像形成時に電源（不図示）から絶対値で数ｋＶの電圧が印加される。これにより，放電電極５１の先端と感光体２１との間でコロナ放電が発生する。なお，放電電極５１は，タングステンなどのワイヤーを用いた電極形状やピン状電極であってもよい。シールドケース５２は，放電電極５１の気中放電を安定させるための箱形の部材であって，感光体２１と対向する側面が開口している。そして，シールドケース５２の開口側面を覆うようにグリッド電極５３が取り付けられている。グリッド電極５３は，厚さ０．１〜０．２ｍｍ程度の薄肉のステンレス製である。感光体２１の表面を帯電させるにあたって放電電極５１に流れる電流を，電極電流Ｉｃといい，グリッド電極５３の電位をメッシュ電位Ｖｇという。電極電流Ｉｃやメッシュ電位Ｖｇは，帯電装置２２への印加パワーである。
【００４２】
次に，図３に基づいて，実施形態のプリンター１の制御系統を説明する。図３に示すように，プリンターは，制御部７０と，計時部８４と，環境因子測定部７８と，トナー付着量測定部８１と，記憶部８２と，を備えている。制御部７０は，ＣＰＵを含み，前述の若しくは後述する各部の動作を制御するものである。制御部７０には，モード制御部７１，感光体制御部７２，感光体表面電位算出部７３，復帰時印加制御部７４，感光体劣化状態導出部７５，露光電位算出部７６，及び，帯電電位出力部７７が含まれる。モード制御部７１は，後述する稼働モードとスリープモードとの切り替えを制御するものである。感光体制御部７２は，稼働モードではスイッチ２７を閉じて感光体２１を接地状態とし，スリープモードではスイッチ２７を開いて感光体２１を非接地状態とするものである。感光体表面電位算出部７３は，稼働モードへの復帰動作の開始時の感光体２１の表面電位を算出するものである。感光体２１の表面電位の算出方法については，後述する。復帰時印加制御部７４は，スリープモードから稼働モードへの復帰過程において，現像ローラー３４に印加する電圧を制御するものである。感光体劣化状態導出部７５は，感光体２１の劣化状態を導出するものである。感光体２１の劣化状態の導出方法については，後述する。露光電位算出部７６は，露光装置２３により一定の露光光量で露光した後現像前の感光体２１の表面電位である露光電位（Ｖｉ）を算出するものである。帯電電位出力部７７は，帯電後露光前の感光体２１の表面電位である帯電（Ｖｏ）を出力するものである。露光電位算出部７６による露光電位（Ｖｉ）の算出および帯電電位出力部７７による帯電電位（Ｖｏ）の算出は，感光体２１の劣化状態を導出するために必要となる。露光電位および帯電電位の算出については，後述する。
【００４３】
計時部８４は，現在時刻を出力可能なＲＴＣ（Real Time Clock）を含む。ＲＴＣは，ＣＰＵに付設されている。計時部８４は，後述する稼働モードへの復帰動作の開始時において，それ以前に行われた感光体２１への最後の帯電の終了から当該稼働モードへの復帰動作の開始時までの経過時間（以下「最終帯電後経過時間」ともいう）を測定するものである。
【００４４】
環境因子測定部７８は，プリンター１の設置環境における温湿度を測定するためのものである。環境因子測定部７８は，機内温度を測定する温度測定部７９と，機内湿度を測定する湿度測定部８０とを備えている。具体的には，温度測定部７９は，プリンター１に内蔵された温度計により構成され，湿度測定部８０は，プリンター１に内蔵された湿度計により構成される。
【００４５】
トナー付着量測定部８１は，現像により感光体２１に付着したトナー量，すなわち，現像されたトナー量を検知するためのセンサーである。トナー付着量測定部８１は，例えば，感光体２１上の１次転写前の位置で，トナー付着量を測定する。なお，トナー付着量測定部８１は，感光体２１上の１次転写後の位置で，残留トナーの量からトナー付着量を測定するものでもよい。また，中間転写ベルト１１上の２次転写前の位置や，中間転写ベルト１１上の２次転写後の位置，さらには，プリント後の用紙（記録媒体）から，トナー付着量を測定するものであってもよい。
【００４６】
記憶部８２は，ＣＰＵに付設されたＲＡＭ及びＲＯＭを含むものである。記憶部８２には，後述する減衰量決定テーブル８３が記憶されている。
【００４７】
次に，プリンター１の取り得る状態について説明する。実施形態のプリンター１は，電力が供給されている電源オン状態において，少なくとも，稼働モードと，スリープモードとをとることができるよう構成されている。なお，電力が供給されていない状態を，電源オフ状態という。稼働モードとは，画像形成可能なモードである。スリープモードとは，画像形成できないものの，稼働モードよりも消費電力が少なく，電源オフ状態からよりも稼働モードへの移行時間が短いモードである。言い換えれば，スリープモードとは，再使用時に，ある程度の時間で画像形成できる程度の機能を保ったまま，各部の電源をオフし，消費電力を抑えるための省エネモードである。実施形態に係るプリンター１は，予め定められた基準時間，画像形成を行わない場合に，稼働モードからスリープモードへ自動的に移行するように構成されている。スリープモードへの移行契機となる基準時間は，ユーザーが任意に設定可能である。スリープモードへの移行によって停止する機能には，例えば，定着ユニット９５の温度調節機能，定着ユニット９５における定着ローラー９６と加圧ローラー９７との圧接状態を維持する機能，ファンによる電源やプリンター本体の冷却機能などがある。
【００４８】
次に，図４に示すタイミングチャートに基づいて，プリンター１が稼働モードからスリープモードへ移行して，再び稼働モードへ復帰するまでの動作について説明する。図４中，（ａ）はプリンター１のモードを示し，（ｂ）はスイッチ２７の開閉を示し，（ｃ）は帯電装置２２のＯＮ・ＯＦＦを示し，（ｄ）はイレーサー２６の発光の有無を示し，（ｅ）は現像バイアスの印加の状態を示し，（ｆ）は一次転写バイアスの印加の状態を示し，（ｇ）はその他の動作を示している。まず，プリント終了時について説明する。
【００４９】
プリント終了時，（ｂ）に示すように，制御部７０は，スイッチ２７を閉状態から開状態に切り替える。これにより，感光体２１は，接地状態から非接地状態に変化する。そして，プリント終了後所定時間が経過すると，制御部７０は，プリンター１を稼働モードからスリープモードへ移行させる。スリープモード中，スイッチ２７は開状態，すなわち，感光体２１は非接地状態にある。従って本形態によれば，感光体がスリープモード中も常に接地状態にあるものと比べて，感光体２１の表面電位が低下しにくい。
【００５０】
また（ｃ）に示すように，制御部７０は，スリープモードへ移行した直後に帯電装置２２をＯＮして，感光体２１を帯電させる。帯電時間は，感光体一回転である。これは，帯電終了後から低下し始めている感光体２１の電位を補うためである。これによっても，感光体２１の表面電位の低下が抑制されている。なお，この帯電を，第１補助帯電という。第１補助帯電の帯電時間は，感光体一回転でなくてもよい。但し，感光体２１の回転数の整数倍であることが望ましい。また，第１補助帯電における帯電装置２２への印加バイアスは，通常の画像形成時の印加バイアスと同じでなくてもよい。但し，帯電終了後から第１補助帯電を行うまでの経過時間が長いほど，感光体２１の表面電位は低下しているので，帯電装置２２への印加バイアスが大きい方が望ましい。また第１補助帯電は，必ずしもスリープモードへの移行直後に行う必要はなく，スリープモード中の任意のときに適宜行ってもよい。例えば，スリープモードへの移行直後には行わず，帯電終了後からの経過時間が長くなった場合に，第１補助帯電を行うようにしてもよい。
【００５１】
また（ｄ）に示すように，制御部７０は，スリープモード中は，イレーサー２６の発光を禁止している。イレーサー２６により感光体２１の表面の静電潜像の残像が除去されて，感光体２１の表面電位が低下するのを防ぐためである。
【００５２】
なお制御部７０は，スリープモードへ移行した直後に帯電装置２２をＯＮする替わりに，又は帯電装置２２をＯＮするのに加えて，（ｆ）に示すように，１次転写ローラー３０にマイナスの電圧（稼働モードで印加する電圧とは逆極性の電圧）を印加してもよい。これによっても，感光体２１の表面を帯電させることができ，表面電位の低下を抑制することができる。なお，この帯電を，第２補助帯電という。第２補助帯電の帯電時間は，感光体２１の回転数の整数倍であることが望ましい。さらに第２補助帯電の帯電時間は，第１補助帯電の帯電時間よりも長いことが望ましい。１次転写ローラー３０による感光体２１の帯電量は，帯電装置２２による感光体２１の帯電量に比べて小さいからである。また第２補助帯電は，必ずしもスリープモードへの移行直後に行う必要はなく，スリープモード中の任意のときに適宜行ってもよい。例えば，スリープモードへの移行直後には行わず，帯電終了後からの経過時間が長くなった場合に，第２補助帯電を行うようにしてもよい。
【００５３】
次に，稼働モードへの復帰動作を開始し，プリントを再開するまでについて説明する。（ａ）（ｂ）に示すように，稼働モードへの復帰動作の開始に伴って，制御部７０は，スイッチ２７を開状態から閉状態に切り替える。これにより，感光体２１は，非接地状態から接地状態に変化する。また，（ｃ）に示すように帯電装置をＯＮするとともに，（ｄ）に示すようにイレーサー２６を発光させる。
【００５４】
また稼働モードへの復帰過程においては，（ｅ）に示すように，現像ローラー３４に印加するバイアスの制御は，通常の画像形成時の制御ではなく，そのときだけの特別な制御で行われる。この特別な制御に基づく現像バイアスの印加を，復帰時印加という。これに対して，通常の画像形成時の制御に基づく現像バイアスの印加を，通常印加という。復帰時印加による現像バイアスの大きさは，図５に示す現像バイアス算出処理により決定される。
【００５５】
稼働モードへの復帰動作の開始時，制御部７０は，図５に示す現像バイアス算出処理を行う。現像バイアス算出処理では，制御部７０は，まず感光体２１の劣化状態を参照する（ステップＳ００１）。感光体２１の劣化状態は，後述する劣化状態導出処理（図６参照）により導出されるもので，記憶部８２のＲＡＭに記憶されている。
【００５６】
劣化状態を参照した後，計時部８４により，経過時間を測定する（Ｓ００２）。計測部８４により測定する経過時間は，補助帯電（第１補助帯電及び第２補助帯電）の有無により異なる。すなわち，補助帯電を全く行わなかった場合には，計時部８４は，スリープモードへの移行前の帯電終了から稼働モードへの復帰動作の開始までの経過時間を計測し，ステップＳ００２の経過時間とする。また，補助帯電を行うことにより，感光体２１の表面電位が，スリープモードへの移行前の帯電終了時と同程度まで回復した場合（後述する図７に示すＶｓまで回復した場合）は，補助帯電の終了から稼働モードへの復帰動作の開始までの経過時間を計測し，ステップＳ００２の経過時間とする。
【００５７】
さらに，補助帯電を行うことにより，感光体２１の表面電位が，スリープモードへの移行前の帯電終了時と同程度まで回復しなかった場合（例えば図７に示すＶｒまでしか回復しなかった場合）には，制御部７０は，補助帯電の終了から稼働モードへの復帰動作の開始までの経過時間（計時部８４により計測された経過時間，図７中のｔ１を稼働モードへの復帰動作の開始時とした場合に図中Ｔ２として示される時間）に，図７中Ｔ１として示す経過時間を合算して，ステップＳ００２で求める経過時間とする。なお，図７中のＴ１は，例えば，図７に示す感光体２１の表面電位の減衰特性をテーブル化して記憶しておき，そのテーブルを参照して，補助帯電後の感光体２１の表面電位（ここではＶｒ）に基づいて算出する。補助帯電後の感光体２１の表面電位は，スリープモードへの移行前の帯電終了から補助帯電を開始するまでの経過時間や，補助帯電の大きさ等から把握可能である。
【００５８】
このように制御部７０は，稼働モードへの復帰動作の開始時において，それ以前に行われた感光体２１への最後の帯電の終了時の感光体２１の表面電位（例えば図７のＶｒ）が，スリープモードへの移行前の帯電終了時の表面電位（図７のＶｓ）と同じでない場合には，その電位差（Ｖｓ−Ｖｒ）分の表面電位の減衰が生じる時間（図７のＴ１）を，計時部８４が計測した経過時間（最終帯電後経過時間）に加えて，ステップＳ００２の経過時間とするものである。なお，最後の帯電の終了時の感光体２１の表面電位が，スリープモードへの移行前の帯電終了時の表面電位と一致する場合は，図７中のＴ１に相当する時間が零となるため，このような経過時間の修正をしても，経過時間は変わらない。実施形態のプリンター１では，このような経過時間の修正を行うため，補助帯電による感光体２１の表面電位の回復が，スリープモードへの移行前の帯電終了時の表面電位と同じでない場合であっても，スリープモード中の感光体２１の表面電位の減衰量を決定するために用いる経過時間を，正確に求めることができる。
【００５９】
ステップＳ００２において経過時間を計測した後，制御部７０は，環境因子測定部７８により，機内温度および機内湿度を検知する（Ｓ００３）。
【００６０】
続いて，制御部７０は，記憶部８２のＲＯＭに予め記憶されている減衰量決定テーブル８３を参照し（Ｓ００４），感光体２１の劣化状態，計時部８４による経過時間，及び，環境因子測定部７８による機内温湿度に基づいて，感光体２１の表面電位の減衰量を決定する（Ｓ００５）。
【００６１】
ここで，図７に基づいて，減衰量の決定について詳しく述べる。図７は，経過時間に対する感光体２１の表面電位の変化を示したグラフである。図中Ｖｓは，スリープモード移行前の帯電終了時の感光体２１の電位を示す。図中Ｖｔは，劣化の程度が小さく，かつ，低温低湿雰囲気下にある感光体２１について，経過時間ｔ１のときの表面電位を示す。図中Ｖｕは，劣化の程度が大きく，かつ，高温高湿雰囲気下にある感光体２１について，経過時間ｔ１のときの表面電位を示す。図７に示すように，劣化状態が小さく低温低湿下にある感光体２１の方が，劣化状態が大きく高温高湿下にある感光体２１よりも，同じ時間が経過したときの残電位は大きくなる。なお，図７に参考として破線で示すが，スリープモードにおいても感光体を接地状態のままにしている場合，非接地状態にしたものと比べて極端に短い時間で表面電位が低下し，グランドと同電位となる。
【００６２】
減衰量決定テーブル８３（図３参照）は，図７に示すグラフをテーブルとしたものである。すなわち，減衰量決定テーブル８３は，感光体２１の劣化状態と環境温湿度に基づいて複数用意されている。ステップＳ００５では，まず，感光体２１の劣化状態，及び，環境温湿度に基づいて，その中から用いる減衰量決定テーブル８３を決める。その後，計時部８４により計測された経過時間に基づいて，感光体２１の表面電位の減衰量を決定する。なお，図７では図示していないが，劣化状態が小さく，且つ，高温高湿下にある感光体に対応したテーブルや，劣化状態が大きく，且つ，低温低湿下にある感光体に対応したテーブルも当然記憶部８２に記憶されている。
【００６３】
ステップＳ００５で感光体２１の減衰量を決定したら，制御部７０は，スリープモードへの移行時の感光体２１の表面電位から，決定した感光体２１の減衰量を引いて，稼働モードへの復帰動作の開始時における感光体２１の表面電位を算出する（Ｓ００６）。この意味において，制御部７０は，感光体表面電位算出部７３を含んでいる。なお，スリープモードへの移行時の感光体２１の表面電位は，プリンター１の制御仕様（帯電電位等）により把握可能である。
【００６４】
続いて制御部７０は，ステップＳ００６で算出した稼働モードへの復帰動作の開始時における感光体２１の表面電位から，カブリマージンと同じ大きさの電圧を差し引いた値を，稼働モードへの復帰動作の開始時に現像ローラー３４に印加すべき現像バイアスとして決定する（Ｓ００７）。ここで，カブリマージンとは，感光体２１の背景部にトナーが付着するカブリという現象の発生を防ぐためにとるものである。具体的には，現像バイアスは，感光体２１の表面電位に対して，現像ローラー３４から感光体２１へのトナーの移動を防止する向きに予め定めた値以上の電位差（カブリマージン）を確保するように決定する。
【００６５】
制御部７０は，このようにして求めた稼働モード復帰動作の開始時の現像バイアス値に従って，感光体２１の表面電位に合わせて，現像バイアスを印加する。具体的には，図８に示すように，まず感光体２１の表面電位（Ｖｏ１）に合わせて，Ｖｂ１の現像バイアスを印加する。Ｖｏ１は，稼働モードへの復帰動作の開始時の感光体２１の表面電位であり，スリープモードの終了時点で感光体２１の表面に残っている残電位である。Ｖｂ１は，Ｖｏ１からカリブマージンａ１を引いた値である。なお，現像バイアスの印加と，帯電装置２２による帯電の再開は，同じタイミングでなされる。
【００６６】
帯電装置２２により帯電されている感光体２１の表面電位は，図８に示すように段階的に上昇する。すなわち，初期電位Ｖｏ１から，中間電位Ｖｏ２を経て，目標電位Ｖｏ３へ到達する。これは，感光体２１を一回転する間に，感光体２１の表面電位を目標電位Ｖｏ３まで上昇させることができないからである。すなわち，図８に示す例では，感光体を２回転させて，目標電位Ｖｏ３に到達させている。なお，スリープモード前の帯電終了から稼働モードへの復帰動作の開始までの時間が短い場合には，感光体２１を一回転させる間に，感光体２１の表面電位が目標電位Ｖｏ３に到達することもある。
【００６７】
このように実施形態では，感光体２１の表面電位が，中間電位Ｖｏ２を経て目標電位Ｖｏ３へ到達するため，現像ローラー３４への印加バイアスも，中間電位Ｖｂ２を経て，Ｖｂ３へ到達するように制御している。Ｖｂ２は，Ｖｏ２からカリブマージンａ２を引いた値であり，Ｖｂ３は，Ｖｏ３からカリブマージンａ３を引いた値である。すなわち，感光体２１の表面電位と現像バイアスとの間には，常にカブリマージンと同じ大きさの電位差が存在するように，制御部７０は，現像ローラー３４に印加するバイアスを制御している。なお，カブリマージンａ１，ａ２，及び，ａ３は，全て同じ大きさである。
【００６８】
実施形態のプリンター１では，このようにカブリマージンを考慮して，稼働モードへの移行動作の開始時の現像バイアスを制御している。そのため，カブリの発生によるトナー消費を防ぐことができる。また，このような現像バイアス制御をしているため，現像バイアスが，キャリアを感光体２１へ移動させてしまうほど，大きくなりすぎることがない。よって，キャリアまでも感光体２１へ移動させてしまうキャリア消費も防止することができる。
【００６９】
図６は，図５のステップＳ００１で参照する感光体２１の劣化状態を導出するための処理を示したフローチャートである。実施形態のプリンター１では，図６に示す劣化状態導出処理を，プリンター１の安定化動作時に実行する。安定化動作とは，要求される一定水準以上の画質を保つために，プリンター１内の温湿度の変化や，感光体２１・現像剤などの部品の劣化に応じて画像形成のための制御変数を最適な値に更新する動作のことである。画像安定化動作は，例えばプリンター１の電源が投入された時，画像形成枚数が所定値に達した時，所定時間が経過した時，温湿度の変動量が所定量を越えた時などに実行される。
【００７０】
図６に示す劣化状態導出処理では，制御部７０は，まず，トナー付着量測定部８１により，現像時の感光体２１に対するトナー付着量（Ｍ）を測定する(Ｓ１０１)。
【００７１】
次に，制御部７０は，感光体２１の露光電位（Ｖｉ）を算出する(Ｓ１０２)。この意味において，制御部７０は，露光電位算出部７６を含んでいる。露光電位（Ｖｉ）の算出は，下記式（１）に基づいて行う。
Ａ×Ｍ＝ｑ×（Ｖｂ−Ｖｉ）  但し，Ａは定数      ・・・（１）
Ｍ：トナー付着量
ｑ：トナー帯電量
Ｖｉ：露光電位
Ｖｂ：現像バイアス
なお，上記式（１）中のトナー帯電量（ｑ）は，現像装置２４の仕様に基づいて予め決まる。また，現像バイアス（Ｖｂ）は，プリンター１の制御仕様により予め決まる。
【００７２】
Ｖｉを算出した後，制御部７０は，感光体２１の帯電電位（Ｖｏ）を導出する(Ｓ１０３)。感光体２１の帯電電位（Ｖｏ）は，環境因子測定部７８により検知された環境温湿度，プリンター１のプリント履歴，帯電装置２２の電極電流Ｉｃ，及びメッシュ電位Ｖｇと，帯電電位（Ｖｏ）との関係に基づいて導出される。例えば，環境温湿度およびプリント履歴ごとに，電極電流Ｉｃ及びメッシュ電池Ｖｇと，感光体２１の帯電電位との対応関係を示すテーブルを記憶部８２に記憶しておき，環境温湿度，プリント履歴，ＩｃおよびＶｇに基づいて，そのテーブルを参照することにより導出する。この意味において，制御部７０は，帯電電位出力部７７を含んでいる。なお，上述した補助帯電後の感光体２１の表面電位（例えば図７に示すＶｒ）も，これと同様の方法により導出することができる。但し，補助帯電は，通常の画像形成時に行われる帯電と比べて，パワーが小さかったり，帯電時間が短かったりするため，この点を考慮して，補助帯電後の表面電位を導出する。
【００７３】
続いて制御部７０は，ステップＳ１０３で導出したＶｏとステップＳ１０２で算出したＶｉとの差（後述の図９に示すｂ１，ｂ２参照）を，予め定めた基準値（後述の図９に示すｂ０参照）と比較する(Ｓ１０４)。比較の結果，ＶｏとＶｉとの差が基準値未満であれば，感光体２１の劣化状態を「大きい」と判定するとともに(Ｓ１０５)，判定結果を記憶部８２に記憶して(Ｓ１０６)，処理を終える。一方，ステップＳ１０４の比較の結果，ＶｏとＶｉとの差が基準値未満でなければ，感光体２１の劣化状態を「小さい」と判定するとともに(Ｓ１０７)，判定結果を記憶部８２に記憶して(Ｓ１０６)，処理を終える。この意味において，制御部７０は，感光体劣化状態導出部７５を含んでいる。
【００７４】
図９は，劣化状態の異なる感光体２１のＬＤに対するＶｉの変化を示すグラフである。実線は，感光体２１の劣化状態が大きい場合（すなわち比較的古い感光体２１）を示し，破線は，感光体２１の劣化状態が小さい場合（すなわち比較的新しい感光体２１）を示している。図９に示すように，劣化状態の異なる感光体２１を同量の露光光量（ＬＤ１）で露光した場合，劣化の大きい感光体２１の露光電位（Ｖｉ１）の方が，劣化の小さい感光体２１の露光電位（Ｖｉ２）よりも大きな値となる。図６のステップＳ１０４の判定では，感光体２１のこのような特性を利用している。すなわち，ステップＳ１０２で算出した露光電位がＶｉ１である場合，ステップＳ１０３で算出したＶｏとＶｉ１との差が，基準値ｂ０よりも小さいｂ１であるため，感光体２１の劣化状態を大きいと判定する。基準値ｂ０とは，Ｖｉの基準値をＶｉ０と定めたときのＶｏとＶｉ０との差である。一方，ステップＳ１０２で算出した露光電位がＶｉ２である場合，ステップＳ１０３で算出したＶｏとＶｉ２との差が，基準値ｂ０よりも大きいｂ２であるため，感光体２１の劣化状態を小さいと判定する。
【００７５】
ここで，劣化状態導出処理をより具体的に示す。劣化状態導出処理で用いる各パラメータが下記の値である場合，感光体の劣化状態は，小さいと判断される。
環境温度＝２５℃
環境湿度＝６５％ＲＨ
Ｉｃ＝９００（μＡ）
Ｖｇ＝５００（Ｖ）
ＬＤ＝２（ｍＪ／ｍ２）
ｑ＝４０（μＣ／ｇ）
Ｖｂ＝４００（Ｖ）
Ｍ＝４（ｇ／ｍ２）
【００７６】
一方，劣化状態導出処理で用いる各パラメータが下記の値である場合，感光体の劣化状態は，大きいと判断される。なお，上記パラメータと下記パラメータとは，トナー付着量Ｍの値が異なっている。
環境温度＝２５℃
環境湿度＝６５％ＲＨ
Ｉｃ＝９００（μＡ）
Ｖｇ＝５００（Ｖ）
ＬＤ＝２（ｍＪ／ｍ２）
ｑ＝４０（μＣ／ｇ）
Ｖｂ＝４００（Ｖ）
Ｍ＝３（ｇ／ｍ２）
【００７７】
次に，実施形態の画像形成装置（プリンター１）による効果を確認するために行った実験の結果について，下記表１に基づいて説明する。表１中，実施例１及び２は，稼働モードへの復帰過程で，現像バイアスの制御として図４の（ｅ）に実線で示すような復帰時印加（図８参照）を行った場合を示している。比較例１及び２は，稼働モードへの復帰過程であっても，現像バイアスの復帰時印加を行わず，図４の（ｅ）に破線で示すように通常印加を行った場合を示している。画像形成装置には，コニカミノルタ製ｂｉｚｈｕｂＣ６５２ＤＳに，本発明に係る制御を行うためのソフトウェアを組み込んだものを使用した。
【００７８】
【表１】
2014052501.tif 000003
【００７９】
実験は，実施例，比較例ともに，放置条件ＸとＹについて行った。表１中の記号の意味は以下の通りである。
「放置条件」の項目
「Ｘ」：放置時間＝２時間
放置環境（温度・湿度）＝１０℃・１５％ＲＨ
感光体劣化状態＝小さい
「Ｙ」：放置時間＝２４時間
放置環境（温度，湿度）＝３０℃・８５％ＲＨ
感光体劣化状態＝大きい
「カブリ」の項目
「○」：カブリの発生を目視で確認できる
「×」：カブリの発生を目視で確認できない
「キャリア付着」の項目
「○」：キャリア付着を目視で確認できる
「×」：キャリア付着を目視で確認できない
「総合評価」の項目
「○」  ：カブリの発生もキャリア付着もともに目視で確認できない
「×」  ：カブリの発生又はキャリア付着のどちらかを目視で確認できる
「××」：カブリの発生及びキャリア付着のどちらも目視で確認できる
【００８０】
この実験では，プリンター１が稼働モードからスリープモードへ移行したとき，感光体２１を非接地状態（スイッチ２７を開状態）とするとともに，帯電装置２２を下記の値で，感光体一周分，動作させた。
Ｉｃ＝９００μＡ
Ｖｇ＝５００Ｖ
これにより，感光体２１は４５０Ｖ程度に帯電した。なお，１次転写ローラー３０は，マイナス帯電させていない。
【００８１】
また，実施例１及び２のプリンター１では，スリープモードから稼働モードへの移行を開始したときに，図５に示す現像バイアス算出処理を行うが，放置条件がＸの場合には，減衰量決定テーブル８３に基づいて決定される減衰量は，５０Ｖとなる。一方，放置条件がＹの場合には，減衰量決定テーブル８３に基づいて決定される減衰量は，２００Ｖとなる。
【００８２】
よって，放置条件Ｘの下では，稼働モード復帰時の感光体２１の表面電位（図８中のＶｏ１）は，スリープモード移行時の感光体２１の表面電位４５０Ｖから，減衰量５０Ｖを引いた４００Ｖとなる。この場合，カブリマージンの大きさ（図８中のａ１）を１５０Ｖとすると，現像バイアス（図８中のＶｂ１）は，２５０Ｖとなる。一方，放置条件Ｙの下では，Ｖｏ１は，スリープモード移行時の感光体２１の表面電位４５０Ｖから，減衰量２００Ｖを引いた２５０Ｖとなる。この場合，カブリマージンの大きさ（図８中のａ１，１５０Ｖ）を引いた現像バイアス（図８中のＶｂ１）は，１００Ｖとなる。
【００８３】
さらに，図８中のＶｏ２とＶｏ３の値は，感光体２１の劣化状態（帯電特性），環境温湿度，及び，Ｖｏ１の値によって決まる。具体的には，下記表２に示すように，放置条件Ｘでは，Ｖｏ２は５００Ｖとなり，Ｖｏ２で５００Ｖに達するため，Ｖｏ３はＶｏ２と同値となる。一方，放置条件Ｙでは，Ｖｏ２は４５０Ｖとなり，Ｖｏ３は５００Ｖとなる。
【００８４】
【表２】
2014052501.tif 000004
【００８５】
従って，この場合の現像バイアスＶｂ２とＶｂ３の値は，下記表３に示すように，放置条件Ｘでは，Ｖｂ２が３５０Ｖとなり，Ｖｂ３がＶｂ２と同値となる。一方，放置条件Ｙでは，Ｖｂ２が３００Ｖとなり，Ｖｏ３が３５０Ｖとなる。
【００８６】
【表３】
2014052501.tif 000005
【００８７】
この実験の結果（表１参照）から，稼働モードへの復帰過程において，現像バイアスの復帰時印加を行った場合には，カブリの発生もキャリア付着も生じず，良好なプリントが可能なことがわかった。これに対して，現像バイアスの復帰時印加を行わない場合には，キャリア付着が生じることがわかった。さらに，放置条件Ｙのように，放置時間が比較的長く，放置雰囲気環境が比較的高温多湿で，劣化状態が大きい場合には，現像バイアスの復帰時印加を行わないと，カブリまでも発生することがわかった。
【００８８】
したがって，実施形態のように，スリープモードにおいて感光体２１を非接地状態とする場合には，稼働モードへの復帰過程において，図８に示すような現像バイアスの復帰時印加を行うことが好ましい。現像バイアスの復帰時印加を行えば，キャリア消費もカブリの発生も抑制することができるからである。
【００８９】
以上詳細に説明したように，実施形態に係るプリンター１は，感光体２１と，感光体２１の表面を一様に帯電させる帯電装置２２と，感光体２１の帯電された表面に露光により静電潜像を書き込む露光装置２３と，感光体２１の表面の静電潜像をトナーで可視像化する現像ローラー３４と，を備え，画像形成可能な稼働モードと，稼働モードよりも諸費電力を抑えたスリープモードとを少なくとも取り得る。さらに実施形態のプリンター１は，稼働モードとスリープモードとの切り替えを制御するモード制御部７１と，稼働モードでは感光体２１を接地状態とし，スリープモードでは感光体２１を非接地状態とする感光体制御部７２と，スリープモードに移行した時の感光体２１の表面電位から，スリープモード中の感光体２１の表面電位の減衰量を差し引いて，稼働モードへの復帰動作の開始時の感光体２１の表面電位を算出する感光体表面電位算出部７３と，スリープモードから稼働モードへの復帰過程における感光体２１の表面電位に対して，現像ローラーへの印加バイアスが，現像ローラー３４から感光体２１へのトナーの移動を防止する向きに予め定めた値以上の電位差となるように，現像ローラー３４への印加バイアスを制御する復帰時印加制御部７４と，を備える。
【００９０】
実施形態のプリンター１によれば，スリープモード中は，感光体２１が非接地状態にあるため，接地状態としているときよりも，表面電位が高電位に保持される。よって，スリープモードから稼働モードへ移行した際に，感光体２１の表面電位が素早く所定値まで上昇され得る。従って，スリープモードから復帰した際のファーストプリントタイム（最初の一枚を印刷するまでに要する時間）を短くすることができる。なお，スリープモードであっても感光体を接地状態のままとした場合には，図１０に示すように，感光体の表面電位がグランドと同電位まで低下する。よって，稼働モードへの復帰時に，帯電装置をＯＮＮしてから画像形成が可能となるまでの立ち上げ時間は，図８に示す本実施形態のものと比べて，長期化する。
【００９１】
また，スリープモードにおいて感光体２１の表面電位が高電位となっていると，稼働モードへの復帰の際，感光体２１の表面電位と現像ローラー３４の電位との差が所望の値からずれ，キャリア消費や，カブリの発生によるトナー消費の原因となり得る。しかし実施形態のプリンター１では，稼働モードへの復帰過程において，感光体２１の表面電位と現像ローラー３４の電位との差が，現像ローラー３４から感光体２１へのトナーの移動を防止する向きに予め定めた値以上となるように，現像ローラー３４への印加バイアスを制御している。よって，カブリによるトナー消費や，キャリア消費を防止することができる。
【００９２】
また，感光体２１の表面電位を把握するために，感光体２１の表面に電位センサー（表面電位計）を取り付けると，その設置スペースの確保や，コスト面において負担が生じる。しかしながら実施形態のプリンター１によれば，感光体表面電位算出部７３により感光体２１の表面電位を算出可能であるため，表面電位計を取り付ける必要がない。よって，その分の設置スペースやコストを削減できる。
【００９３】
また実施形態のプリンター１では，モード制御部７１は，スリープモード中に，帯電装置２２を予め定められた時間（感光体一周に対応する時間），動作させることにより，感光体２１の帯電を回復させる補助帯電（第１補助帯電）を行うものである。よって，帯電装置２２により，スリープモード中に感光体２１の表面から失われる電位を補填することができる。よって，スリープモードの終了時に感光体２１の表面に残る残電位を高く保つことができる。
【００９４】
また実施形態のプリンター１は，感光体２１に形成されたトナー像を中間転写ベルト１１（中間転写体）に転写する１次転写ローラー３０を備え，モード制御部７１は，スリープモード中に，１次転写ローラー３０に感光体２１と同極性の電圧を予め定められた時間（図４（ｆ）参照）印加することにより，感光体２１の帯電を回復させる補助帯電（第２補助帯電）を行うものである。よって，感光体２１と同極性の電圧が印加された転写ローラーにより，感光体２１の表面が帯電される。そのため，感光体２１の表面電位の低下を抑制することができる。従って，スリープモードの終了時に感光体２１の表面に残る残電位を高く保つことができる。
【００９５】
さらに実施形態のプリンター１では，感光体表面電位算出部７３は，補助帯電が行われた場合には，計時部８４により計測された経過時間（図７中ｔ１を稼働モードへの復帰動作の開始時とした場合の図中Ｔ２に相当）に，感光体２１の表面電位の経過時間と減衰量との関係にて補助帯電終了時の感光体２１の表面電位が得られるまでの所要時間（図７中Ｔ１に相当）を加えて，スリープモード中の感光体２１の表面電位の減衰量を決定するために用いる経過時間とするものである。よって，補助帯電による感光体２１の表面電位の回復が，スリープモードへの移行前の帯電終了時の表面電位と同じでない場合であっても，スリープモード中の感光体２１の表面電位の減衰量を決定するために用いる経過時間を，正確に求めることができる。
【００９６】
さらに実施形態のプリンター１は，感光体２１からトナー像が転写された後に感光体２１の表面の静電潜像の残像を除去するイレーサー２６（除電装置）を備え，モード制御部７１は，スリープモード中，イレーサー２６による残像の除去を禁止するものである。よって，スリープモード中に，イレーサー２６によって感光体２１の表面の静電潜像の残像が除去されることがない。よって，スリープモードの終了時に感光体２１の表面に残る残電位を高く保つことができる。
【００９７】
なお，上述した実施形態は単なる例示にすぎず，本発明を何ら限定するものではない。したがって本発明は当然に，その要旨を逸脱しない範囲内で種々の改良，変形が可能である。例えば，実施形態では，環境因子測定部７８は，温度測定部７９および湿度測定部８０を備える構成としたが，いずれか一方のみを備える構成としてもよい。また，計時部８４は，ＲＴＣを備えることなく，電波時計用の標準電波や現在時刻を計測する時刻サイトなどの外部から現在時刻の情報を取得するものであってもよい。さらに計時部８４は，時間を計測できれば現在時刻を取得できるものでなくてもよい。また，帯電装置２２は，コロナ放電により感光体２１を帯電させるものであれば，図２等に示すものでなくてもよい。また，実施形態では，現像に負帯電型のトナーを用いる構成としたが，現像に正帯電型のトナーを用いる構成としてもよい。
【００９８】
また，実施形態ではプリンター１を例として説明したが，本発明に係る画像形成装置は，公衆回線を経由してプリントジョブの送受信ができるものなど，他の画像形成装置でもよい。
【００９９】
なお，実施形態中の感光体２１の劣化状態とは，感光体２１の帯電特性のことでもある。帯電特性とは，電位を付与した感光体２１を露光すると，どの程度電位が減衰するかという特性である（図９参照）。
【符号の説明】
【０１００】
１…プリンター（画像形成装置）
１１…中間転写ベルト（中間転写体）
２１…感光体
２２…帯電装置
２３…露光装置
２４…現像装置
３４…現像ローラー
２６…イレーサー（除電装置）
３０…１次転写ローラー
７０…制御部
７１…モード制御部
７２…感光体制御部
７３…感光体表面電位算出部
７４…復帰時印加制御部
７５…感光体劣化状態導出部
７６…露光電位算出部
７７…帯電電位出力部
７８…環境因子測定部
７９…温度測定部
８０…湿度測定部
８１…トナー付着量測定部
８２…記憶部
８３…減衰量決定テーブル
８４…計時部
【図１】
2014052501.tif 000006
【図２】
2014052501.tif 000007
【図３】
2014052501.tif 000008
【図４】
2014052501.tif 000009
【図５】
2014052501.tif 000010
【図６】
2014052501.tif 000011
【図７】
2014052501.tif 000012
【図８】
2014052501.tif 000013
【図９】
2014052501.tif 000014
【図１０】
2014052501.tif 000015